(57)【要約】　　　（修正有）【課題】舗装用のブロック特に夜間の歩行の安全性を確保するのに好適な発光式舗装ブロックに関し、導線が断線し難く、施工の容易な発光式舗装ブロックを提供する。【解決手段】発光ユニット１が設けられた舗装ブロックであって、このブロックの側壁には隣接するブロックに上下のずれを規制する嵌合部５，６が設けられているので、路面に隣接して配設されたとき、ブロックの側壁に設けられた嵌合部５，６が上下のずれを規制するよう嵌合されるので、舗装面に不陸が発生しにくい。又、発光ユニット１を固定、結線するための配線ボックス２と導線を通す電線管４がブロックに埋設されたものでは、電線管４を接続しながら発光式舗装ブロックを配設した後、導線を通して結線することで据付が出来、施工が容易である。【選択図】　図１
2004044212.tif 000002
【特許請求の範囲】
【請求項１】
発光ユニットが設けられた舗装ブロックであって、このブロックの側壁には隣接するブロックに上下のずれを規制する嵌合部が設けられていることを特徴とする発光式舗装ブロック。
【請求項２】
発光ユニットを固定、結線するための配線ボックスと電線を通す電線管がブロックに埋設されたことを特徴とする請求項１記載の発光式舗装ブロック。
【請求項３】
視覚障害者誘導用突起が表面に多数設けられたことを特徴とする請求項１又は請求項２記載の発光式舗装ブロック。
【発明の詳細な説明】
【０００１】
【発明の属する技術分野】
本発明は、舗装用のブロックに関し特に夜間の歩行の安全性を確保するのに好適な発光式舗装ブロックに関する。
【０００２】
【従来の技術】
従来、舗装面に発光部材を組み込んで発光させる舗装用ブロックとして、実開平５−７１２２４号公報には、地面に敷設し、地面を舗装するところの裏面に多数の突起を設けた板状弾性体よりなる舗装用弾性ブロックにおいて、前記突起の間を通って網状につながる低部分に対応する任意の点に発光ダイオードを表面に露出するよう取付けると共に、それぞれ、その発光ダイオードに電気を流す導線を網状につながる低部分に配してなる舗装用弾性ブロックが提案されている。
【０００３】
【発明が解決しようとする課題】
しかしながら上記の如き舗装用弾性ブロックにおいては、導線が舗装用ブロックの裏面に露出されているため、導線の耐久性に問題があった。又、舗装面上の荷重や熱による膨張収縮や不陸、歪みの発生により導線が破損して断線しやすいという問題があった。
【０００４】
そこで本発明者は従来の欠点に鑑み鋭意研究の結果、導線が断線し難く、施工の容易な発光式舗装ブロックを提供するものである。
【０００５】
【課題を解決するための手段】
本発明請求項１記載の発光式舗装ブロックは、発光ユニットが設けられた舗装ブロックであって、このブロックの側壁には隣接するブロックに上下のずれを規制する嵌合部が設けられているので、路面に隣接して配設されたとき、ブロックの側壁に設けられた嵌合部が上下のずれを規制するよう嵌合されるので、舗装面に不陸が発生しにくい。本発明に於ける嵌合部とは、ブロックの側壁に設けられた互いに嵌合する嵌合溝と嵌合条、或いは、ジョイントパーツにより上下動が規制されるようになされた嵌合溝と嵌合溝などをいう。又、本発明に於ける発光ユニットとはＬＥＤやＥＬ等の自発光デバイスをいう。
【０００６】
本発明請求項２記載の発光式舗装ブロックは、発光ユニットを固定、結線するための配線ボックスと導線を通す電線管がブロックに埋設されたもので、電線管を接続しながら発光式舗装ブロックを配設した後、導線を通して結線することで据付が出来、施工が容易である。
【０００７】
本発明請求項３記載の発光式舗装ブロックは、視覚障害者誘導用突起が表面に多数設けられたものである。本発明に於ける視覚障害者誘導用突起とは、点状又は線状の突起を適宜組み合わせることにより、進行すべき方向や横断歩道の位置、或いは注意をする必要のある場所などを知らせるようにしたものをいう。
【０００８】
【発明の実施の形態】
以下、図面を参照しながら本発明に付いて説明する。
図１は本発明発光式舗装ブロックの実施形態の第１の例としての基本用線状ブロックａを示す（イ）は平面図、（ロ）は正面図、（ハ）は右側面図、（ニ）は底面図、（ホ）は背面図である。図に於いて、ブロックの表面に平行して４本の線状突起が設けられて視覚障害者誘導用突起となされている。ブロック表面の中央には発光ユニット１が設けられている。発光ユニット１の下部には配線ボックス２が設けられ、この配線ボックス２に設けられた接続用コネクター３に電線管４が接続されている。ブロック右側面には断面台形の嵌合溝５が形成され、左側面にはこの嵌合溝５に嵌合する嵌合条６が形成され、夫々嵌合部となされている。
【０００９】
図２は本発明発光式舗装ブロックの実施形態の第２の例としてのＴ型点状ブロックｂを示す（イ）は平面図、（ロ）は正面図、（ハ）は側面図、（ニ）は底面図である。図に於いて、ブロックの表面に多数の円錐台状の突起が設けられて視覚障害者誘導用突起となされている。ブロック表面の中央には２個の発光ユニット１が設けられている。発光ユニット１の下部には配線ボックス２が設けられ、この配線ボックス２には３個の接続用コネクター３が設けられている。ブロックの全側面には断面台形の嵌合溝５が形成され、前記第１の例の嵌合条６またはジョイントパーツ７を用いて嵌合溝５と嵌合することができるようになされている。
【００１０】
図３は本発明発光式舗装ブロックの実施形態の第３の例としてのＹ型点状ブロックｃを示す（イ）は平面図、（ロ）は正面図、（ハ）は側面図、（ニ）は底面図である。図に於いて、ブロックの表面に多数の円錐台状の突起が設けられて視覚障害者誘導用突起となされている。ブロック表面の中央には２個の発光ユニット１が設けられている。発光ユニット１の下部には配線ボックス２が設けられ、この配線ボックス２には３個の接続用コネクター３ーが設けられ、このうち２個の接続コネクターに電線管４が接続されている。ブロックの全側面には断面台形の嵌合溝５が形成され、前記第１の例の嵌合条６またはジョイントパーツ７を用いて嵌合溝５と嵌合するようになされている。このブロックｃは図６に示すように点状ブロックを１／２スパンずらして敷き並べる際に必要となるものである。
【００１１】
図４は本発明発光式舗装ブロックと組み合わせて用いられる連結用線状ブロックｄの実施形態の一例を示す（イ）は平面図、（ロ）は正面図、（ハ）は側面図、（ニ）は底面図である。図に於いて、ブロックの表面に平行して４本の線状突起が設けられて視覚障害者誘導用突起となされている。ブロック右側面には断面台形の嵌合溝５が形成され、左側面にはこの嵌合溝５に嵌合する嵌合条６が形成され、夫々嵌合部となされている。又、正面下部が全長に亘って欠除され、電線管収納部となされている。
【００１２】
図５は本発明発光式舗装ブロックの配設例を示す平面図であり、図に於いて、発光式舗装ブロックは夫々電線管４と連結用カップリング８で連結される。図６は本発明発光式舗装ブロックの配設例を示す平面図であり、図７は底面図である。本発明発光式舗装ブロックは、舗装ブロックの厚みの範囲内に全ての配線構造が組み込まれたもので、砕石層上にサンドクッション層を形成し、その上に電線管４をつなぎながら配設した後、導線を通して結線することで据付ができ、舗装工事と電気工事を分離して実施できるので施工が容易で、工事計画が立てやすい。
【００１３】
図８は本発明発光式舗装ブロックの敷設状態を示す（イ）は平面図であり、（ロ）は正面図、（ハ）は（イ）のＡ−Ａ断面図である。図に於いて、線状ブロック同士が隣り合うときは、ブロック側壁に設けられた嵌合溝５と嵌合条６が嵌合されて隣り合うブロック同士に不陸ができないようになされている。点状ブロック同士あるいは点状ブロックと線状ブロックの嵌合溝側が相対した溝部にはジョイントパーツ７が挿入され、または該溝部にモルタル等が注入され隣り合うブロックに不陸ができないようになされている。
【００１４】
線状ブロックは図に示すように一般には一直線状に配設されるので、図１及び図４に示したように相対する面に嵌合溝５と嵌合条６が設けられ、隣接して配設されたとき不陸が出来ないようになされている。
点状ブロックは、非直線状に配設されることが多いので、四方の側面全てに断面台形の嵌合溝５が形成され、一対のブロックの側面が当接されて、形成される六角形状の嵌合部にジョイントパーツ７が挿入され、または該溝部にモルタル等が注入され隣り合うブロックに不陸ができないようになされる。
【００１５】
【発明の効果】
上述の如く、本発明請求項１記載の発光式舗装ブロックは、発光ユニットが設けられた舗装ブロックであって、このブロックの側壁には隣接するブロックに上下のずれを規制する嵌合部が設けられているので、路面に隣接して配設されたとき、ブロックの側壁に設けられた嵌合部が上下のずれを規制するよう嵌合されるので、舗装面に不陸が発生しにくく、電線管が破損しにくい。
【００１６】
又、本発明請求項２記載の発光式舗装ブロックは、発光ユニットを固定、結線するための配線ボックスと導線を通す電線管がブロックに埋設されたもので、ブロックの厚みの範囲内で電線管を接続しながら発光式舗装ブロックを配設した後、導線を通して結線することで据付が出来、施工が容易である。
【００１７】
又、本発明請求項３記載の発光式舗装ブロックは、視覚障害者誘導用突起が表面に多数設けられたものであり、視覚障害者用誘導ブロックにおいても上記の効果が有効である。
【図面の簡単な説明】
【図１】本発明発光式舗装ブロックの実施形態の第１の例としての基本用線状ブロックを示す（イ）は平面図、（ロ）は正面図、（ハ）は右側面図、（ニ）は底面図、（ホ）は背面図である。
【図２】本発明発光式舗装ブロックの実施形態の第２の例としてのＴ型点状ブロックを示す（イ）は平面図、（ロ）は正面図、（ハ）は側面図、（ニ）は底面図である。
【図３】本発明発光式舗装ブロックの実施形態の第３の例としてのＹ型点状ブロックを示す（イ）は平面図、（ロ）は正面図、（ハ）は側面図、（ニ）は底面図である。
【図４】本発明発光式舗装ブロックと組み合わせて用いられる連結用線状ブロックの実施形態の一例を示す（イ）は平面図、（ロ）は正面図、（ハ）は側面図、（ニ）は底面図である。
【図５】本発明発光式舗装ブロックの配設例を示す平面図である。
【図６】本発明発光式舗装ブロックの配設例を示す平面図である。
【図７】本発明発光式舗装ブロックの配設例を示す底面図である。
【図８】本発明発光式舗装ブロックの敷設状態を示す（イ）は平面図であり、（ロ）は正面図、（ハ）は（イ）のＡ−Ａ断面図である。
【符号の説明】
１　　発光ユニット
２　　配線ボックス
３　　接続用コネクター
４　　電線管
５　　嵌合溝
６　　嵌合条
７　　ジョイントパーツ
８　　連結用カップリング
ａ　　基本用線状ブロック
ｂ　　Ｔ型点状ブロック
ｃ　　Ｙ型点状ブロック
ｄ　　連結用線状ブロック
【図１】
2004044212.tif 000003
【図２】
2004044212.tif 000004
【図３】
2004044212.tif 000005
【図４】
2004044212.tif 000006
【図５】
2004044212.tif 000007
【図６】
2004044212.tif 000008
【図７】
2004044212.tif 000009
【図８】
2004044212.tif 000010